(57)【特許請求の範囲】
【請求項１】
自然光又は人工光によって蛍光を発する織編布からなる通気性の農作物栽培用資材であって、該織編布は、非イオン系の蛍光色素と熱可塑性樹脂とを含む混練物から作製された透光性の素材から構成され、該蛍光色素が紫外線波長域の光を吸収して波長域４５０〜７００ｎｍの蛍光を発し、かつ前記素材表面は光学的に平滑でなく前記蛍光を乱反射させる粗れた凹凸状態であることを特徴とする防虫効果と光合成促進効果を併せ持つ農作物栽培用資材。
【請求項２】
自然光又は人工光によって蛍光を発する織編布からなる通気性の農作物栽培用資材であって、該織編布は、蛍光色素と熱可塑性樹脂としてのポリエステルとを含む混練物から作製された透光性の素材から構成され、該蛍光色素が紫外線波長域の光を吸収して波長域４５０〜７００ｎｍの蛍光を発し、かつ前記素材表面は光学的に平滑でなく前記蛍光を乱反射させる粗れた凹凸状態であることを特徴とする防虫効果と光合成促進効果を併せ持つ農作物栽培用資材。
【請求項３】
自然光又は人工光によって蛍光を発するフィルムからなる透光性の農作物栽培用資材であって、該フィルムは、非イオン系の蛍光色素と熱可塑性樹脂とを含む混練物から作製され、該蛍光色素が紫外線波長域の光を吸収して波長域４５０〜７００ｎｍの蛍光を発するものであり、かつ該フィルム表面は光学的に平滑でなく該蛍光を乱反射させる粗れた凹凸状態であることを特徴とする防虫効果と光合成促進効果を併せ持つ農作物栽培用資材。
【請求項４】
自然光又は人工光によって蛍光を発するフィルムからなる透光性の農作物栽培用資材であって、該フィルムは、蛍光色素と熱可塑性樹脂としてのポリエステルとを含む混練物から作製され、該蛍光色素が紫外線波長域の光を吸収して波長域４５０〜７００ｎｍの蛍光を発するものであり、かつ該フィルム表面は光学的に平滑でなく該蛍光を乱反射させる粗れた凹凸状態であることを特徴とする防虫効果と光合成促進効果を併せ持つ農作物栽培用資材。
【請求項５】
自然光又は人工光によって蛍光を発するフィルムからなる透光性の農作物栽培用資材であって、該フィルムは、蛍光色素と熱可塑性樹脂とを含む混練物から作製され、該蛍光色素が紫外線波長域の光を吸収して波長域４５０〜７００ｎｍの蛍光を発するものであり、かつ該フィルム表面は光学的に平滑でなく該蛍光を乱反射させる粗れた凹凸状態であり、前記フィルムの厚さが０．２〜０．７ｍｍであることを特徴とする防虫効果と光合成促進効果を併せ持つ農作物栽培用資材。
【請求項６】
請求項１乃至５のいずれか１項に記載の農作物栽培用資材に自然光又は人工光を照射して蛍光色素から発せられる蛍光を、該農作物栽培用資材を構成する織編布あるいはフィルムの内部で凹凸面に当てて乱反射させ、その結果増量した蛍光を該農作物栽培用資材から農作物に放射させることを特徴とする農作物の栽培方法。
【発明の詳細な説明】
【技術分野】
【０００１】
本発明は防虫効果と光合成促進効果を併せ持つ農作物栽培用資材に関し、詳しくは、植物の光合成促進と植物に群がる害虫による被害を防止することを目的とした農作物栽培用資材に関する、
【背景技術】
【０００２】
最近、野菜など農産物の安定供給を図るため、光源に発光ダイオード等を用いて、あたかも野菜を栽培する工場を設備する植物工場の建設が進められている。これは植物等の光合成に寄与する波長帯の光を照射する発光ダイオードを採用しており、計画栽培が図られている。
しかし、このような方法では計画栽培が可能であるが、栽培を行うためには大量の電力を消費し、地球温暖化、化石燃料の枯渇化など環境・エネルギー問題に大きな影響を与えることが懸念されている。
また、露地栽培などでは、野菜等の品質を管理するには農薬散布が一般的である。しかし、大量の農薬を使用することによる周辺の大気汚染、雨水に混入することによる水質汚染が深刻になっている。さらに加えて、最近の健康志向の高まりにより無農薬栽培や豊潤な味の有機栽培が要請されている。
【０００３】
一方、光合成促進効果を狙いとした農業用フィルムが提案されている（例えば、特許文献１参照）。
さらに、光合成促進効果と防虫効果を狙いとした農業用光質変換資材が提案されている（例えば、特許文献２参照）。
しかしながら、このような提案技術は、光合成促進にも防虫にも実用的なレベルの効果をもたらすものではない。
【先行技術文献】
【特許文献】
【０００４】
【特許文献１】特開平５−２２７８４９号公報
【特許文献２】特開平６−４６６８５号公報
【発明の概要】
【発明が解決しようとする課題】
【０００５】
本発明の第一の目的は、前記従来の問題を解消するためになされたものであって、太陽光線の照射により、植物等の光合成促進に寄与する波長帯に変換することができる農作物栽培用資材、及び該農作物栽培用資材を用いた農作物の栽培方法を提供することである。
また、本発明の第二の目的は、太陽光線の照射により、強い刺激光を放射して、植物等に寄生しようとするあるいは寄生する害虫を確実かつ効果的に駆除することができる農作物栽培用資材、及び該農作物栽培用資材を用いた農作物の栽培方法を提供することである。
【課題を解決するための手段】
【０００６】
本発明者等は、上記のような課題を解決すべく、鋭意検討を重ねた結果、蛍光色素と熱可塑性樹脂を含む素材から構成される織編布あるいは蛍光色素と熱可塑性樹脂を含む厚さが０．２〜０．７ｍｍのフィルムであって、該蛍光色素として紫外線波長域の光を吸収して波長域４５０〜７００ｎｍの蛍光を発するものを用いた織編布あるいはフィルムが、上記課題解決に有効であることを見出し、本発明を創出するに至った。
【０００７】
すなわち本発明は、紫外線波長域の光を吸収して波長域４５０〜７００ｎｍの赤外線波長域の蛍光を放出する織編布あるいはフィルム等の農作物栽培用資材であり、このような農作物栽培用資材を用いることによって、光合成促進効果と防虫効果を享受することができる。
したがって、本発明は、以下の通りである。
【０００８】
＜１＞  自然光又は人工光によって蛍光を発する織編布からなる通気性の農作物栽培用資材であって、該織編布は、非イオン系の蛍光色素と熱可塑性樹脂とを含む混練物から作製された透光性の素材から構成され、該蛍光色素が紫外線波長域の光を吸収して波長域４５０〜７００ｎｍの蛍光を発し、かつ前記素材表面は光学的に平滑でなく前記蛍光を乱反射させる粗れた凹凸状態であることを特徴とする防虫効果と光合成促進効果を併せ持つ農作物栽培用資材。
【０００９】
＜２＞  自然光又は人工光によって蛍光を発する織編布からなる通気性の農作物栽培用資材であって、該織編布は、蛍光色素と熱可塑性樹脂としてのポリエステルとを含む混練物から作製された透光性の素材から構成され、該蛍光色素が紫外線波長域の光を吸収して波長域４５０〜７００ｎｍの蛍光を発し、かつ前記素材表面は光学的に平滑でなく前記蛍光を乱反射させる粗れた凹凸状態であることを特徴とする防虫効果と光合成促進効果を併せ持つ農作物栽培用資材。
【００１０】
＜３＞  自然光又は人工光によって蛍光を発するフィルムからなる透光性の農作物栽培用資材であって、該フィルムは、非イオン系の蛍光色素と熱可塑性樹脂とを含む混練物から作製され、該蛍光色素が紫外線波長域の光を吸収して波長域４５０〜７００ｎｍの蛍光を発するものであり、かつ該フィルム表面は光学的に平滑でなく該蛍光を乱反射させる粗れた凹凸状態であることを特徴とする防虫効果と光合成促進効果を併せ持つ農作物栽培用資材。
【００１１】
＜４＞  自然光又は人工光によって蛍光を発するフィルムからなる透光性の農作物栽培用資材であって、該フィルムは、蛍光色素と熱可塑性樹脂としてのポリエステルとを含む混練物から作製され、該蛍光色素が紫外線波長域の光を吸収して波長域４５０〜７００ｎｍの蛍光を発するものであり、かつ該フィルム表面は光学的に平滑でなく該蛍光を乱反射させる粗れた凹凸状態であることを特徴とする防虫効果と光合成促進効果を併せ持つ農作物栽培用資材。
【００１２】
＜５＞  自然光又は人工光によって蛍光を発するフィルムからなる透光性の農作物栽培用資材であって、該フィルムは、蛍光色素と熱可塑性樹脂とを含む混練から作製され、該蛍光色素が紫外線波長域の光を吸収して波長域４５０〜７００ｎｍの蛍光を発するものであり、かつ該フィルム表面は光学的に平滑でなく該蛍光を乱反射させる粗れた凹凸状態であり、前記フィルムの厚さが０．２〜０．７ｍｍであることを特徴とする防虫効果と光合成促進効果を併せ持つ農作物栽培用資材。
【００１７】
＜６＞  前記＜１＞乃至＜５＞のいずれか１項に記載の農作物栽培用資材に自然光又は人工光を照射して蛍光色素から発せられる蛍光を、該農作物栽培用資材を構成する織編布あるいはフィルムの内部で凹凸面に当てて乱反射させ、その結果増量した蛍光を該農作物栽培用資材から農作物に放射させることを特徴とする農作物の栽培方法。
【発明の効果】
【００２１】
本発明によって、比較的短い波長帯域の太陽光を赤外線波長の蛍光に変換して植物に照射し光合成を促す農作物栽培用資材、及び該農作物栽培用資材を用いた農作物の栽培方法を提供できる。
また、植物等に寄生しようとする害虫を確実かつ効果的に駆除することができる農作物栽培用資材、及び該農作物栽培用資材を用いた農作物の栽培方法を提供することである。
【図面の簡単な説明】
【００２２】
【図１】本発明の農作物栽培用資材のスペクトル分布特性である。
【図２】遮光ネットを用いた場合の、減少する照射光の積算値に対する収穫量の関係を示したグラフである。
【図３】本発明の農作物栽培用資材である織編布タイプのネットＡを用いた場合の照射光の積算値に対する収穫量の相対値の関係を示したグラフである。
【発明を実施するための形態】
【００２３】
以下、本発明を詳細に説明する。
植物の光合成反応は、太陽光、ＣＯ２、水の三要素によって行われることがよく知られている。ここで、太陽光は幅広い波長帯域（約２００ｎｍ〜４０００ｎｍ）から成り立っているが、光合成反応に寄与する波長はこれらの波長帯域すべてを必要としているわけではなく、光合成反応に寄与する波長帯域は青色波長帯域（４５０〜５５０ｎｍ）と赤色波長帯域（５５０〜６５０ｎｍ）であると考えられている。    
【００２４】
特に赤色波長体帯域の光は、植物の発芽、葉、球根、根、果実の成長促進に寄与するものとされている。人工光を用いて植物の光合成反応の促進を図るためには、赤色波長帯域の光を強く照射する光源を開発し、植物に照射することによって行われている。  事例として、最近の植物工場ビジネスでは多数個の赤色発光ダイオードを用いて赤色波長帯域の光を照射して植物の光合成反応を積極的に行わせている。このように光合成反応は太陽光スペクトルのある範囲の光を利用していることが理解できる。
一般に植物の光合成反応は、太陽光の照射によって行われており、さらに光合成反応を積極的に促すには赤色波長帯域の成分を重畳させることによって実現できる。
【００２５】
本発明における農作物栽培用資材とは、詳しくは後述するが、少なくとも熱可塑性樹脂と蛍光色素とから構成される組成物を原材料として、例えば成形することによって得られるフィルム自体、及び、該フィルムを裁断して得られる長尺フィルム、該フィルムをさらに加工して得られるフラットヤーン、モノフィラメント、及び／又は複合モノフィラメント等を素材として作製された織編布を包含するものである。
本発明の農作物栽培用資材を作製するのに使用されるフィルムあるいは素材の製造法としては、特に限定されるわけではなく、押出し成形、射出成形、圧縮成形などが適用可能であり、特に押出し成形が好ましく使用される。
また、織編布としては、特にネットを挙げることができるが特に限定されない。
【００２６】
本発明の農作物栽培用資材としては、大別すると、蛍光色素と熱可塑性樹脂を含む素材から構成される織編布と、蛍光色素と熱可塑性樹脂を含む厚さが０．２〜０．７ｍｍのフィルム自体があり、その使用方法として限定されるわけではないが、後者は農作物として果実栽培の場合に実を該フィルムを包んで使用するのに適している。
また、本発明の農作物栽培用資材としての織編布とフィルムの使用方法は、特に限定されるわけではなく、通常、農作物の種苗が撒かれた、あるいは農作物が育成されている農地を覆って使用され、またその大きさは限定的でなく、さらに、一枚のみならず複数枚を重ねて使用することができる。
この複数枚を重ねた形態として、複数枚の農作物栽培用資材を予め相互に結着させたものとしても良い。
【００２７】
従って、本発明の農作物栽培用資材を用いた栽培方法として、太陽光などの照射光の光量とか気温などのような環境条件に応じて、枚数を適宜変更するシステムによって、所期の効果をより高いレベルで達成することもできる。
本発明の農作物栽培用資材としての織物とフィルムは、いずれも該蛍光色素として紫外線波長域の光を吸収して波長域４５０〜７００ｎｍの蛍光を発するものを用いることを特徴とするものであるが、蛍光発光波長域がこの範囲外であると、光合成促進効果も防虫効果として所期の実用的レベルが得ることが困難となる。
【００２８】
さらに、所期の光合成促進効果と防虫効果とを得るには、本発明の上記織編布作製用の素材及び上記フィルム自体を構成する蛍光色素が、熱可塑性樹脂に対して０．００１〜０．０３重量％の含有割合であることが好ましく、特に０．０１５〜０．０２重量％であることが好ましい。
蛍光色素の含有量が不十分な場合には、太陽光の吸収量が少なくなるため、放射（蛍光）光量が少なくピークの値が小さく好ましくないが、蛍光色素量が多くなるに従い、太陽光の吸収量は増えるが、放射した光（蛍光光）はその蛍光染料分子近傍の別の蛍光染料分子に再吸収され、この現象が繰り返されて、その結果、本発明のフィルム自体、織編布の中でこの現象が繰り返されて、必ずしも外部に放射（蛍光）する量が増えることにはならない。
【００２９】
すなわち、含有割合が多過ぎると、１つの色素粒子から発生する放射光が他の色素粒子に再吸収されるような現象が起こり、この現象が多数の色素粒子間で発生し、さらに作製される成形体の熱可塑性樹脂が多少濁っていて透明性が減じることも加わって、素材あるいはフィルム自体の外部へ放射される光量が、蛍光色素の熱可塑性樹脂に対する配合量が多いにも拘らず少なくなり、０．０３重量％は、その蛍光色素の配合割合の限界量として本発明者等の繰り返し実験によって確認されたものである。
また、本発明の農作物栽培用資材の織編布を作製する素材あるいはフィルム自体には、一種類の蛍光色素を含有させることが好ましい。複数の色素を含有させた場合には、相互に吸収光を分割し蛍光量が減じる蛍光があるため好ましくない。
そのために、複数の色素を含有させる必要がある場合には、後述するように、複数の該素材を用い、それぞれに異種の色素を含有させることができる。
【００３０】
本発明者等は、発明を創出する過程において、農作物栽培用資材を繰り返し使用していくと蛍光色素が素材等から徐々に溶出して耐色性が落ちて、短期間のうちに所期の効果が消失してしまう現象を確認した。これは、熱可塑性樹脂と蛍光色素との相溶性、あるいは蛍光色素の熱可塑性樹脂中の分散性によるものと想定されるため、熱可塑性樹脂と蛍光色素との組み合わせとして相溶性の良いものを選択することが好ましい。
【００３１】
本発明者等の検討結果によると、本発明の農作物栽培用資材の織編布作製用の上記素材のうち、フラットヤーンについては厚みが５〜１５０μｍ程度、好ましくは１０〜１００μｍ程度、といずれも極めて薄く、またモノフィラメントについても繊維径が１４０〜１０００μｍ程度、好ましくは２２０〜７００μｍ程度と極めて細いものであるため、熱可塑性樹脂との相溶性が良好な場合であっても、前述のような、繰り返し使用していくと蛍光色素が成形体から溶出する場合があり、そのような場合には、単位体積当たりに配合可能な蛍光色素量として、上述の０．０３重量％以下にすることが好ましいことを確認した。
なお、フラットヤーンの素材として用いるフィルムの厚みは０．２〜０．７ｍｍ程度であることが好ましく、特に０．１〜０．５ｍｍ程度がさらに好ましく用いることができる。
【００３２】
本発明の農作物栽培用資材のフィルム自体、及び織編布用素材の長尺フィルム、フラットヤーン及びモノフィラメントは、極めて薄くあるいは細く、蛍光色素の配合量には限りがあるため、素材の内部で蛍光色素から発生する蛍光の総量が減少するものと想定される。
しかしながら、各種の方法によって製造される、これらの極めて薄いあるいは細い素材の表面は、光学的に平滑ではなく粗れた凹凸状態であるため、素材内部で蛍光色素から発生する放射光が、この粗表面に乱反射し、その乱反射によって素材から外部に放射される光量が増加し、さらに、これらのフィルム自体、及び織編布に外部から光が当たると、粗表面で乱反射することも加わって、本発明の目的とする効果を一層高めるものと考えられる。
特に、フィルム、フラットヤーン及びモノフィラメントの場合には、この乱反射効果が加わって、所期の効果を達成するための発光量を得るのに、０．０３重量％を上限として蛍光色素を配合することが好ましいが、該配合量は限定的なものではない。
【００３３】
さらに、本発明の織編布は、長尺フィルム、フラットヤーン、モノフィラメント及び／又は複合モノフィラメント等を素材にして作製されるが、素材を予め縒ったものを使ったり、この素材を縒ったり、複数縒り合わせたり、織ったりすることによって、素材間に様々な凹凸状態を形成することになるために、長尺フィルム、フラットヤーンおよびモノフィラメントが有する上述した効果がより一層強く発揮され、素材から放射される光が光合成促進効果と防虫効果をより一層向上させることができる。
本発明の織編布の織り具合については、自然光、人工光を吸収した後、放射光（蛍光）を効果的に照射（面的に）させるような状態にすることが重要であり、このような凹凸状態を形成することは、効果的な照射に効果的である。
【００３４】
本発明の農作物栽培用資材に用いられる熱可塑性樹脂としては、ポリエステル、ナイロン、ポリカーボネート、ポリアクリレート、ポリメタクリレート、ポリオレフィン、ポリ塩化ビニル等が挙げられ、透光性のものが用いられる。
特に、本発明の農作物栽培用資材が、光合成促進効果と防虫効果を長期間発揮できるものであるためには、長期間安定なものであることが必要であり、そのために、上述したように、熱可塑性樹脂と蛍光色素との分散性、相溶性が良く、色素の成形体からの離出がないことが望ましく、従って、上記の熱可塑性樹脂のうち、ポリエステル、ナイロン、ポリオレフィンが好ましく、ポリエステルが特に好ましく使用される。
【００３５】
これらのうち、ポリエステルについては、構成する酸成分とグリコール成分を上記目的のために、適宜選択して合成したものを使用することが好ましい。
ポリエステルとしては、酸成分としてテレフタル酸、イソフタル酸、コハク酸、アジピン酸、２，６−ナフタレンジカルボン酸等と、グリコール成分としてエチレングリコール、１，４−ブタンジオール、１，６−ヘキサンジオール、１，４−シクロヘキサンジメタノール、シクロヘキサンジオール等とを重縮合させて得られる重合体であって、その酸成分および／またはグリコール成分の一部を共重合成分で置き換えた共重合体も包含する。具体的には、ポリエチレンテレフタレート、ポリブチレンテレフタレートが用いられる。
【００３６】
また、ナイロンとしては、ナイロン６、ナイロン６，６、ナイロン６，１０、ナイロン１１、ナイロン１２、ナイロン６／１１、ナイロン６／１２等が用いられる。
【００３７】
さらに、ポリオレフィンとしては、高密度ポリエチレン、中密度ポリエチレン、分岐状低密度ポリエチレン、直鎖状低密度ポリエチレン、メタロセン触媒を用いて製造されたエチレン・α−オレフィン共重合体などのポリエチレン系樹脂や、プロピレン単独重合体、エチレン−プロピレンブロック共重合体、エチレン−プロピレンランダム共重合体などのポリプロピレン系樹脂などが用いられる。
【００３８】
前記熱可塑性樹脂は、生分解性の樹脂であってもよい。
【００３９】
上記熱可塑性樹脂に配合する蛍光色素としては、農作物栽培用資材に太陽光を照射して発生する放射光（蛍光）が光合成促進効果と防虫効果を呈しさえすれば特に限定されない。
【００４０】
従って、放射光が、黄色系、オレンジ系および赤色系にいずれも所望の場合には、光吸収波長領域が好ましくは４００〜６００ｎｍ、特に好ましくは４７０〜６００ｎｍ、また、太陽光を照射して発生する放射光の波長領域が４５０〜７００ｎｍの蛍光色素が光合成促進効果と防虫効果を得るのに有効である。
しかしながら、放射光が赤色系を選択する場合には、蛍光色素として、光吸収波長領域は４００〜６００ｎｍが好ましく、特に４７０〜６００ｎｍがより好ましく、また、太陽光を照射して発生する放射光の波長領域が６００〜７００ｎｍのものを用いることがこのましく、また、押出し成形によって作製される成形体が好ましく、赤色の鋭い光を発生させることができる。
【００４１】
本発明において、蛍光色素とは、蛍光染料や蛍光顔料を包含するものである。
上記蛍光色素としては、非イオン性の蛍光色素、例えば、ビオラントロン系色素、イソビオラントロン系色素、ビラントロン系色素、フラバントロン系色素、ペリレン系色素及びビレン系色素などの多環系色素、キサンテン系色素、チオキサンテン系色素、ナフタルイミド色素、ナフトラクタム色素、アントラキノン色素、ベンゾアントロン色素、クマリン色素などが挙げられ、これらの中から、上記の吸収波長域を有しおよび上記の波長域の光を放射する色素を適宜選択使用することができる。
【００４２】
上記ペリレン系色素としては、例えば、ビーエーエスエフ  アクチェンゲゼルシャフト社製の商品名Ｌｕｍｏｇｅｎ  ＦシリーズのＹｅｌｌｏｗ  ０８３、Ｏｒａｎｇｅ  ２４０、Ｒｅｄ  ３０５  などが挙げられる。
また、ナフタルイミド系色素としては、例えば、ビーエーエスエフ  アクチェンゲゼルシャフト社製の商品名  Ｌｕｍｏｇｅｎ  ＦシリーズのＶｉｏｌｅｔ  ５７０、Ｂｌｕｅ  ６５０などが挙げられる。
【００４３】
これらの蛍光色素は、例えば、グリコール類、芳香族炭化水素、塩素系炭化水素、エステル類、ケトン類またはアミド類などのような有機溶剤あるいは水に溶解して使用される。
【００４４】
次に、本発明の農作物栽培用資材の織編布（農作物栽培用ネットとも言う）について詳述する。
ネットを製造するのに用いられる糸の形態としては、各種成形機によって作製されたフィルムをスリットした後、延伸して得られるフラットヤーンや、フラットヤーンを割繊したスプリットヤーン、また円形または異形ノズルから押し出したフィラメントを延伸したモノフィラメントや、低繊度フィラメントを収束したマルチフィラメントなどの単層型あるいは多層型、芯鞘型、並列型等の複合糸条など制限なく採用される。
また、上記フィルムをスリットして得られた長尺フィルムから、直径約０．３〜０．５ｍｍの縒り糸を造り、この縒り糸を３〜５本束ねて、ネット作製用素材とすることもできる。
【００４５】
フラットヤーンを作製するのに用いられるフィルムは、先ず、熱可塑性樹脂に所定割合の蛍光色素をヘンシェルミキサーなどの混合機を用いて準備した混合物を押出機に供給して混練し、あるいは所定割合の熱可塑性樹脂と蛍光色素をそれぞれ直接押出機に供給して混練した後、押出し成形法、射出成形法、圧縮成形法などのような公知の方法を採用し作製することができる。
しかし、ベースとなる熱可塑性樹脂と同種または同系の樹脂に予め高濃度の蛍光色素を含有させたマスターバッチを製造し、フィルム成形時に所定の含有量に調整してフィルム成形を行なう、いわゆるマスターバッチ法を採用することが好ましい。
【００４６】
フラットヤーンは、押出成形法によるフィルムを用いる場合を例にとって説明すると、例えば、ポリオレフィン、ポリエステルまたはナイロンなどのような上記熱可塑性樹脂と蛍光色素からなる混練物を押出機に投入して、Ｔダイ法またはインフレーション法により無定形状態で押出した後冷却固化し、得られたフィルムを約２〜５０ｍｍ、好ましくは約５〜３０ｍｍ幅にスリットした後延伸し、次いで熱処理して形成される。
この際の延伸処理は高融点の熱可塑性樹脂の融点以下、低融点の熱可塑性樹脂の軟化点以上の温度下に行われるが、加熱法としては、熱ロール式、熱板式、熱風式等いずれの方法も採用できる。
【００４７】
スリットされた熱可塑性樹脂フィルムは加熱され、前後ロールの周速度差により延伸を行う。延伸倍率は３〜１５倍、好ましくは４〜１２倍、更に好ましくは５〜１０倍の範囲である。
【００４８】
この延伸倍率が３倍未満ではフラットヤーンの充分な強度が得られなくなり、一方、延伸倍率が１５倍を超えると延伸方向の配向が強すぎてフラットヤーンが割れ易くなり、また生産効率が極端に劣ることなどが想定される。上記延伸糸の単糸繊度は、通常２００〜１００００デシテクス（以下、ｄｔと略す）、好ましくは５００〜５０００ｄｔの範囲内である。
【００４９】
上記で得られた熱可塑性樹脂製延伸糸を経緯糸に用いて織成して織編布を形成してシート状物とする。
織編布の形態としては、特に限定されるものではなく、織物では、例えば、平織、綾織、模紗織、絽織、絡み織などが挙げられ、編物ではラッセル編、トリコット編み、ミラニーズ編等が挙げられる。
【００５０】
また、上記熱可塑性樹脂の不織布としては、熱可塑性樹脂、特にポリオレフィン、ポリエステルまたはナイロンなどを用いて溶融押出された繊維状物をランダムに積み重ね、溶融状態の繊維状物同士を溶融接着させてシート化するメルトブロー方式や、冷却された繊維状物同士を熱エンボスロールにより溶融接着させてシート化するスパンボンド方式のいずれも使用できる。
また、熱可塑性樹脂製延伸糸を所定間隔で経緯に並べて配置し、重ね合わせて交差部を接着して積層不織布を形成したシート状物としたものでもよい。
【００５１】
本発明におけるフィルム自体、あるいは織編布を構成する素材には、本発明の趣旨を逸脱しない範囲において、退色防止剤および／または耐光性添加剤を含有させることができ、また、酸化防止剤、分散剤、滑剤、帯電防止剤、顔料、無機充填剤、架橋剤、発泡剤、核剤等の通常用いられる添加剤を配合することができる。
【００５２】
なお、本発明の農作物栽培用資材としてのフィルム自体あるいは織編布として、例えば、熱可塑性樹脂を含むフィルムあるいはその長尺フィルム、フラットヤーン、モノフィラメント及び／又は複合モノフィラメント等の素材表面に蛍光色素が付着させたものから作製されるものが包含される。
この場合、素材表面に蛍光色素を付着させること以外の材料・製法などの条件については、熱可塑性樹脂と蛍光色素を主成分とする組成物から作製する農作物栽培用資材と同様であり、省略する。
この場合の「素材表面への蛍光色素の付着」とは、素材の表面に蛍光色素の塗布液を塗布して蛍光色素からなる膜が形成された場合、および蛍光色素として染料を用いて染色する場合のように、表面処理によって得られた蛍光色素の状態を総称するものである。
【００５３】
さらに、蛍光色素を含有しないフラットヤーンあるいはモノフィラメントのような素材を用いて一旦織編布を形成し、その後織編布を蛍光色素を含む塗布液に浸漬し、あるいは蛍光染料で染色して、織編布表面に蛍光色素を付着させることができる。
【００５４】
上記の表面処理としては、前述したように、素材に蛍光色素を表面被覆または染色させる方法が挙げられる。
上記素材に蛍光色素を表面被覆する方法としては、上記成形体を蛍光色素溶液中に浸漬して塗布するディップコート法、上記成形体表面に蛍光色素溶液をスプレーして塗布するスプレーコート法、刷毛塗りやロールコータを用いて上記成形体表面に蛍光色素溶を塗布する方法等が挙げられる。上記蛍光色素の塗布量は、上記成形体に対して、０．００１〜０．０３重量％、好ましくは、０．０１５〜０．０２重量％の範囲内であることが好ましい。
【００５５】
また、上記成形体を染色する方法としては、上記成形体を蛍光染料の分散液中で染色する方法が挙げられ、通常の分散染料と同様の方法が採用できる。
染色温度としては、６０℃〜１４０℃の範囲で、かつ染浴中の被染物に掛かる張力を実質的に無張力の状態に保って染色すると、上記成形品の強度を低下させることがなく、良好な染色性が得られるので好ましい。また染色作業は、ウェブ状物の連続処理も枚葉でのバッチ処理のいずれも可能である。
【００５６】
次に、織編布の好ましい条件について説明する。
織編布は、縦糸と横糸用の少なくとも２種類の素材が、例えば、長尺フィルム、フラットヤーン、モノフィラメントおよびそれらの二次加工体から選択されるが、２種類の素材として同種のものに限らず異種のものを選択し使用することができ、本発明の織敷布として縦糸と横糸に異種のものを用いて織られたものが包含される。
また、縦糸と横糸に用いる２種類の素材が、目的に応じて、相互に発光波長範囲が異なる（同一でないが重複する範囲を含む場合あり）同種の蛍光色素を含有させる場合と、異種の蛍光色素を含有させる場合とがある。
【００５７】
さらに、２種類の素材として、例えば、同種であるフラットヤーンのみの場合と、例えば、一方がフラットヤーンで他方がモノフィラメントを選択し、それぞれに同種の蛍光色素を含有させる場合と、異種の蛍光色素を含有させる場合とがある。
異種の蛍光色素を含有させる場合には、例えば、一方に、光合成促進効果に寄与する波長域の蛍光を発光する色素を、他方に、防虫効果に寄与する波長域（約４５０〜６００ｎｍ）の蛍光を発光する色素を含有させることができ、あるいは、一方に、葉を主体とする農作物の光合成促進効果に寄与する波長域（約４１０〜５３０ｎｍ）の蛍光を発光する色素を、他方に防虫効果に寄与する波長域の蛍光を発光する色素を含有させることができ、さらに、一方に、実を主体とする農作物の光合成促進効果に寄与する波長域（約６１０〜６９０ｎｍ）の蛍光を発光する色素を、他方に防虫効果に寄与する波長域の蛍光を発光する色素を含有させるように、目的に応じて使い分けすることができる。
このように、２種類の蛍光染料を使用すると、より広い波長範囲がカバーできるため、実用的である。
【００５８】
さらに、縦糸と横糸の該素材の一方に蛍光色素を含有させ、他方に蛍光色素を含有させることもできる。
【００５９】
本発明者等は、本発明の農作物栽培用資材のフィルムと織編布の発生蛍光光量（放射光量）について考察した。
該農作物栽培用資材の上面に吸収された自然光、人工光が波長変換されて蛍光となるが、この発生した蛍光量のうち該資材から放射する量が多ければ多いほど、所期の効果を達成しやすいものと考えられる。
本発明者等の観察結果によると、農作物栽培用資材がフィルムの場合には、膜厚が薄いため不規則な凹凸が生じ、この凹凸を介して表面、裏面などフィルム全体から蛍光が放射される。フィルムから放射される蛍光量は、凹凸の程度に左右されるが、全体の２０〜２５％程度であることを確認した。
さらに、農作物栽培用資材として織編布として、長尺フィルムを縒った細い幅の紐（凹凸のあるもの）を縦横糸にして編んで得られるネットについて、発生蛍光光量（放射光量）を考察した。
この結果、該ネット全体から放射する蛍光は、このネットの上面、下面から放射される蛍光量は全体の５０％程度であることが確認した。
【００６０】
この結果から、本発明の農作物栽培用資材のうち、フィルムよりも織編布の方が所期の目的を達成するのにより効果的であることが確認された。
【００６１】
次に、本発明の織編布あるいはフィルムの、光合成促進と防虫（害虫駆除）の効果について説明する。
【００６２】
１）防虫（害虫駆除）効果について：
（１）赤色の蛍光染料を使用した場合
栽培中の野菜や果物を赤色の蛍光染料を使用したネット、フィルムで覆った場合には、赤色の普通染料（非蛍光染料）を使用したネット、フィルムで覆った場合に比べて、人の目に与える刺激（明るい場所での刺激で人の明所視の特性）は約３．０倍になることを確認した。
害虫の視感度（感じる光の波長範囲）は人の視感度を含み広範囲であると言われており、害虫が感じる波長範囲の蛍光染料を選択すれば、害虫にとって刺激が強く野菜や果実に寄って来ないため、特に野菜に対して、害虫が寄り付かず、幼虫になる卵を産み付けることもなく、農作物栽培に有効である。
【００６３】
（２）黄色、橙色の蛍光染料を使用した場合
黄色、橙色の蛍光染料を使用したネット、フィルムの場合も同様で、人の目に与える刺激（明るい場所での刺激で人の明所視の特性）は約３．２倍になることを確認した。
【００６４】
２）光合成促進効果について：
（１）本発明の織編布とフィルムは、自然光、人工光を吸収して波長変換されて得られた蛍光光が、上面（表面）下面（裏面）から放射されるが、ネットのような織編布は横糸と縦糸とを隙間を空けて（空隙武という）編んでいるため、照射された光が全て蛍光に波長変換するわけではない。
【００６５】
本発明のネットについては、所期の効果を得るために、その空隙率を６５〜１０％に設計することが好ましく、このような織られたネットは、入射光の６５〜１０％をそのまま透過させて野菜などの農作物に直接照射し、残りの３５〜９０％をネットが吸収し、波長変換して発生した蛍光が農作物を照射し、所期の効果を得ることができる。
この空隙率は、農作物の種類によって異なるが、本発明者等の検証によれば、廿日大根の例では、ネットの場合には、空隙率が６０％の場合に大根の収穫量が最大になった。
一方、農作物栽培用資材がフィルムの場合、入射光の透過率をフィルムの厚さを制御して決めることが好ましく、赤色蛍光染料を０．０１５重量％の割合で含有させたフィルムの場合、厚さが０．５ｍｍの場合に大根の収穫量が最大になった。
【００６６】
本発明の農作物栽培用資材であるシートあるいはネットは、必要に応じて複数枚重ねて使用することができるが、枚数が多すぎると照射光を遮断することになるため、調整することが必要である。
また、使用場所に制限はなく、例えば、屋外でも温室でも、あるいは照明付きインキュベータ（植物栽培容器）内で使用することができる。
また、温室で用いる場合には、複数枚重ねて使用できるような状態として、太陽光の入射量に応じて、自動的に枚数を変更可能な構成とすることができる。
【００６７】
さらに、本発明の農作物栽培用資材の効果について述べると、害虫の視感度特性が人間の視感度、いわゆる可視光線（波長が４００ｎｍ〜７５０ｎｍ）領域を含みさらに短波長領域（２００ｎｍ〜４００ｎｍ）をも含み、特に４５０ｎｍ〜６００ｎｍ付近に強い感度（ピーク値）を持っているために、本発明の農作物栽培用資材が赤色帯やオレンジ色帯の光を放射（蛍光）することによって、害虫に強い刺激を与えて寄りつかなくなって、害虫を駆除することができ、無農薬あるいは低農薬野菜を生産することが可能となる。
【００６８】
また、リンゴ、桃、杏、ぶどう、梨などの果実に、赤色帯の光が照射されると、結実が向上し糖度が増すと一般的に言われており、本発明の農作物栽培用資材は特にこのような糖度を増加させるのに有効である。
さらに、先述のように、異種の素材から作製された本発明の織編布として、赤色蛍光染料を用いたフラットヤーンと橙色蛍光染料を用いたフラットヤーンとをそれぞれ横糸と縦糸にしてラッセル織でネットを構成することにより、広い波長（橙色帯から赤色帯まで）範囲をカバーできるため、さらに顕著な害虫駆除の効果を得ることができる。
【００６９】
一方、光合成に寄与する波長帯が、青色帯（３８０〜５８０ｎｍ）・赤色帯（５８０〜７８０ｎｍ）であることは知られているが、本発明においては、次のようにして求められる赤色帯の減衰率（Ｒ）（＝ＩλＲ）と青色帯の減衰率（Ｂ）（＝ＩλＢ）からＲ／Ｂ値を算出し、該Ｒ／Ｂ値によって農作物栽培用資材の光合成特性を確認した。
実験は、回折格子型分光放射計（英弘精機製：ＭＳ）、精密全天日射計（英弘精機製：ＭＳ−８０１）を用い、（１）スペクトル分布特性と（２）水平面全天日射強度を測定し、スペクトル分布特性と水平面全天日射強度の測定値（ｋＷ・ｈ／ｍ２）から、下記式に基づいて３波長帯の入射光に対する減衰率を算出した。
【００７０】
（１）入射光（３０５．４〜１１３０ｎｍの波長帯）の積分値
【数１】
0005505737.tif 000002
（２）青色帯（３８０〜５８０ｎｍの波長帯）の積分値
【数２】
0005505737.tif 000003
（３）赤色帯（５８０〜７８０ｎｍの波長帯）の積分値
【数３】
0005505737.tif 000004
【００７１】
本発明者等の実験結果によると、光合成を促進しかつ防虫効果をもたらすのに有効な農作物栽培用資材の条件として、照射光自体（栽培用資材を用いずに農作物に直接照射する）のＲ／Ｂ値（Ｘ）に対する栽培用資材（照射光を資材を介して農作物に照射する）のＲ／Ｂ値（Ｙ）の比（Ｒ／Ｂ相対値と言う）が、１．１〜１．５であることが好ましいことを確認した。
Ｒ／Ｂ相対値が小さ過ぎると、赤色帯の減衰率（Ｒ）が低くなり過ぎて十分な光合成効果が得られなくなる。上記のＲ／Ｂ相対値の数値範囲は、本発明の農作物栽培用資材を重ねて用いる場合は、その重ねた状態のＲ／Ｂ相対値を含むことを意味する。
先述したように、本発明の農作物栽培用資材であるシートあるいはネットは、必要に応じて複数枚重ねて使用することができ、枚数が多くなるほど赤色帯の減衰率（Ｒ）が高くなるが、照射光を遮蔽する状態が増加するため、Ｒ／Ｂ相対値は大き過ぎても、初期の効果が得られないことになる。
【００７２】
また、Ｒ／Ｂ値について言えば、農作物を育成するのに用いる照射光が太陽光のような自然光の場合には、農作物栽培用資材のＲ／Ｂ値が０．９０〜１．２５程度が、また、蛍光灯のような人工光の場合には１．００〜１．４０程度がそれぞれ好ましいことが確認された。上記のＲ／Ｂ値の数値範囲は、本発明の農作物栽培用資材を重ねて用いる場合は、その重ねた状態のＲ／Ｂ値を含むことを意味する。
なお、自然光（太陽光）の強さ（日射強度という）が1ｍ２当たり1ｋＷのときを基準日射強度といい、太陽スペクトル分布の基準とされ、自然光自体のＲ／Ｂ値は０．８（±５％）であり、人工光のＲ／Ｂ値は０．９４である。なお、太陽光のような自然光の場合、日によって強さに変化があるため、±５％はその変化程度を意味する。
【００７３】
このような特性の持つ本発明の農作物栽培用資材を用いることによって、用いない場合に比べて、農作物の収穫量を１．２〜１．６倍増加させることができる。
本発明の農作物栽培用資材を用いると、当然のことながら農作物に到達する照射光量は最大２０％程度減少するが、本発明者等の実験結果によれば、この程度照射光が減少（減光）しても、収穫量が大きく減ることがないことが確認された。
【００７４】
さらに、本発明の農作物栽培用資材の有用性を説明する。
本発明者等が行なった芝生の庭（露地）と温室の二箇所でのフィ−ルド実験を行なったところ、収穫量が１．０〜１．２６倍増加し、特に、ガラス温室内の栽培では、ガラスを透過する太陽光が１０％程度減光するが、温室内の温度、湿度などを一定に調整し、減光の影響がほとんどないことを確認した。
【００７５】
また、クーニヤンの温室栽培では、本発明の農作物栽培用ネットを使用することによって収穫量は、使用しない場合の収穫量に比べて約１．２７倍増加した。
なお、本発明の農作物栽培用ネットを使用したガラス温室の中での栽培では、入射量（照射量）が３０％程度減少するが、減光量に関係なく収穫量が増えることが確認された。
【００７６】
さらに、本発明の農作物栽培用ネットを使用すると、農作物の糖度が増加することが確認された。
すなわち、トマトのフイールドにおける栽培実験では、露地栽培と温室栽培の双方共、通常４〜５程度と言われている糖度が６〜１０程度に増加し、通常１１程度と言われているスイカの糖度に近い甘さになることが確認され、高付加価値のトマトの生産の可能性が認識された。
【００７７】
次に本発明を実施例によってより具体的に説明するが、本発明は下記実施例に限定されない。
【実施例】
【００７８】
＜本発明の農作物栽培用資材の作製＞
（１）農作物栽培用シート（フィルムタイプ）
ポリエステルとして、エチレングリコール／１，４シクロヘキサンジメタノールの重量比が６０／４０の割合のグリコール成分とテレフタル酸の酸成分とを重縮合させて得られる重合体（ＳＫＣｈｅｍｉｃａｌｓ社製  商品名：ＰＥＴ−Ｇ  銘柄：Ｓ２００８）を予め準備した。
このポリエステルを用いて、これに蛍光色素としてのぺリレン系色素（ビーエーエスエフ  アクチェンゲゼルシャフト社製の商品名Ｌｕｍｏｇｅｎ  ＦシリーズのＲｅｄ３００。赤色帯の光を放射する特性を持つ。）の０．０２重量％を配合し、ヘンシェルミキサーで混練して得られた樹脂組成物を用いて、６５ｍｍφ押出機により溶融温度２６０℃で、Ｔダイ法でフィルム状物にした後、３０℃で冷却固化して厚さ６００μｍのフィルムを形成した。
ここに使用した蛍光色素（Ｌｕｍｏｇｅｎ  ＦシリーズのＲｅｄ３０５）は、約５２０〜約５９０ｎｍの波長領域で光を吸収し、その最大吸収波長は５７８ｎｍであった。
また、約６００〜約６８０ｎｍの波長領域で光を放射し、最大放射波長は６１３ｎｍであった。
【００７９】
（２）織編布タイプの農作物栽培用ネットＡ
上記（１）のフィルムをスリットして得られた長尺フィルムから、直径約０．４ｍｍの縒り糸を造り、この縒り糸を３本束ねて農作物栽培用資材用素材を準備した。
この素材を縦糸と横糸に用い、ラッセル編機によって、網目が２．０ｃｍ×２．０ｃｍ、空隙率が１６％、大きさが１．５ｍ２のラッセル編のネットを作製し、織編布タイプの農作物栽培用ネットＡとした。
【００８０】
（３）織編布タイプの農作物栽培用ネットＢ
蛍光色素としてぺリレン系色素（ビーエーエスエフ  アクチェンゲゼルシャフト社製の商品名Ｌｕｍｏｇｅｎ  ＦシリーズのＲｅｄ３０５）を用いる以外、上記（１）と同様にして作製したフィルムを巾５ｍｍにスリットし、延伸し、赤色の蛍光色素を含有する、その繊度が６００ｄｔのフラットヤーンを得た。
一方、高密度ポリエチレン（ＭＦＲ＝０．７ｇ／１０分、密度＝０．９５７ｇ／ｃｍ３、Ｔｍ＝１２９℃）を用いて、モノフィラメント成形ダイスで溶融押出し、次いで２０℃で冷却固化した後、延伸処理して繊度７００ｄｔのモノフィラメント（蛍光色素不含）を得た。
得られた繊度が７００ｄｔのモノフィラメントを鎖編糸とし、得られた繊度が６００ｄｔの上記のフラットヤーンを挿入糸として用い、ラッセル編機を使用して、網目が２．０ｃｍ×２．０ｃｍ、大きさが１．５ｍ２のラッセル編のネットを編成し、本発明の農作物栽培用ネットＢを作製した。
【００８１】
図１は、上記の試作ネットＡ（ＦＮ（Ａ））、ネットＡを３枚重ねたネット（ＦＮ（Ｂ））、後述の遮光ネットおよび農作物栽培用資材不使用（適用なし）のそれぞれのスペクトル分布を示し、横軸が波長（ｎｍ）、縦軸がスペクトルの放射即密度である。
本発明のＦＮ（Ａ）、ＦＮ（Ｂ）では、赤色帯の光を放射する特性が強いことを示している。
【００８２】
［実施例１］
＜本発明の農作物栽培用資材を用いた光合成促進効果および防虫効果試験＞
（織編布タイプの農作物栽培用ネットＡによるインキュベータ内での試験）
照明付きインキュベータ（植物栽培容器、東京理化機械株式会社製ＬＳＴ−３００型、容積３００リットル）を用い、蛍光灯（人工光）の下で廿日大根（さくらんぼ廿日大根  サカタノタネ製）を栽培した。
この機器の内部の温度、湿度、二酸化炭素濃度は自由に設定することが可能であり、本実験では温度２０℃、湿度５０％、二酸化炭素濃度は無調整で大気とし、また、栽培はポリポット（直径１００ｍｍ×高さ９０ｍｍ）使用し、全て同一の土を使用した。
なお、１日のサイクルは、点灯時間１６時間、消灯時間８時間として行なった。
【００８３】
（Ａ）遮光ネットによる収穫量特性の確認
図２は、遮光ネット（スウェーデンＬＳ  Ｓｖｅｎｓｓｏｎ社製の農業用ネットで、照射光量を１０、３０、４０、５０、７０％遮光するネット５種類を使用）を用い、減少する照射光の積算値に対する収穫量の関係を示したもので、横軸が入射光の相対値、縦軸が収穫量の相対値であり、実線カーブは近似曲線を表している。
上記遮光ネットは、反射率の高いアルミニウムの微粉を混入したポリエチレンシートを細い帯状に裁断して編んで作製され、入射光を一部遮断するものであり、蛍光を発するものではなく、Ｒ／Ｂ値は０．８０以下である。
実験期間は冬期の２８日間で、積算照射光量は(蛍光灯による人工光による)２５．５ｋＷｈ／ｍ２）、適用なし（遮光ネット不使用）を基準（１．０）とした相対値をプロットしたもので、プロットから近似曲線として実線カーブを描いてある。
この実線カーブから、遮光量が多くなるに従がって収穫量が減少することが理解できる。
【００８４】
（Ｂ）織編布タイプの農作物栽培用ネットＡによる収穫量特性
図３は、上記の農作物栽培用資材（１）を、一枚用いた場合（■）、二枚重ねて用いた場合（●）、三枚重ねて用いた場合（▲）の収穫量の相対値を示したもので、それぞれについて３回づつ、４月〜８月にかけて実験を行った。
積算照射光量は（蛍光灯を用いた人工光による）２５．５ｋＷｈ／ｍ２、適用なし（農作物栽培用資材不使用）を基準（１．０）とした相対値をプロットしたものであり、横軸は照射光の相対値、縦軸は収穫量の相対値である。
【００８５】
図中、実線は図２に示した上記（Ａ）で遮光シートを用いた場合と同一の近似曲線であり、光合成減退効果曲線である。
本発明の農作物栽培用資材を用いて実験した結果の各プロット点は、いずれもこの近似曲線より上側にあることを示しており、このことは本発明の農作物栽培用ネットが、照射光を遮蔽して照射量を減少させるにもかかわらず、収穫量を増加させることができ、上記（Ａ）の遮光シートの傾向とは異なり、その有効性が高いことを立証している。
なお、本実施例において人工光を照射光にして使用した農作物栽培用資材のＲ／Ｂ値は、本発明の農作物栽培用ネットＡ一枚が１．０４、二枚重ねて用いた場合が１．１３、三枚重ねて用いた場合が１．２７で、ネットを用いない人工光のみの場合は０．９４であった。
【００８６】
［実施例２］
＜本発明の農作物栽培用資材による温室内での栽培試験＞
廿日大根の種を同量同日に蒔いたプランター（縦：２１０ｍｍ、横：６３０ｍｍ、高さ：１８０ｍｍ、）を３つ用意して、１つは比較用として本発明の農作物栽培用資材を用いず、他の２つにはそれぞれに上述のフィルムタイプの農作物栽培用シート１枚、及び織編布タイプの農作物栽培用ネットＡ１枚で該プランターを覆い、太陽光が照射される温室内で、最高温度３０．９℃、最低温度１６．５℃、平均温度２４．８℃の７〜８月の４週間経過後、栽培した廿日大根の収穫量を測って、農作物栽培用資材を光合成促進効果と防虫効果を観察した。
【００８７】
その結果、廿日大根の１０株あたりの収穫量は、比較用のプランターでは４６ｇであるのに対して、フィルムタイプの農作物栽培用シート１枚を用いた場合には５５ｇ、織編布タイプの農作物栽培用ネットＡを１枚用いた場合には６４ｇであり、また、温室内であるため害虫被害は全体的に少ないが、フィルムタイプのシート１枚を用いた場合の方が織編布タイプのネットＡを１枚用いた場合よりも害虫被害が多く観察された。
なお、本実施例において太陽光を照射光にして使用した農作物栽培用資材のＲ／Ｂ値は、フィルムタイプのシート１枚の場合は０．９２、織編布タイプのネットＡ１枚の場合が１．０４であった。
【００８８】
［実施例３］
＜本発明の農作物栽培用資材による露地での栽培試験＞
廿日大根の種を同量同日に蒔いたプランター（縦：２１０ｍｍ、横：６３０ｍｍ、高さ：１８０ｍｍ、）を３つ用意して、１つは比較用として本発明の農作物栽培用資材を用いず、他の２つにはそれぞれに上述の織編布タイプの農作物栽培用ネットＡを１枚で覆い、及び織編布タイプの農作物栽培用ネットＡを３枚重ねて覆い、太陽光が照射される露地で、最高温度４２．９℃、最低温度１３．７℃、平均温度２４．８℃の７〜８月の４週間経過後、廿日大根の育成状況を観察した。
【００８９】
その結果、比較用のプランターでは、当初の生育は他に比較してはるかに良好であったが、害虫被害が激しく４週間経過後には収穫量はほぼ零となった。
一方、フィルムタイプの農作物栽培用シート３枚を用いた場合には廿日大根の１０株あたりの収穫量は３６．０ｇ、織編布タイプの農作物栽培用ネットＡを３枚重ねて用いた場合には収穫量は４８．８ｇであり、害虫被害は、いずれも少なく、後者の方が前者よりも特に少なかった。
なお、本実施例において太陽光を照射光にして使用した農作物栽培用資材のＲ／Ｂ値は、フィルムタイプのシート１枚の場合が０．９２、織編布タイプのネットＡを３枚重ねた場合が１．１９であった。
【００９０】
［実施例４］
＜本発明の農作物栽培用資材による露地での栽培試験＞
廿日大根とクーニャンの種を、同量同日に別々に蒔いたプランター（縦：２１０ｍｍ、横：６３０ｍｍ、高さ：１８０ｍｍ、）をそれぞれ２つづつ用意して、１つは比較用として農作物栽培用資材を用いず、他の１つにはそれぞれに上述の織編布タイプの農作物栽培用ネットＡを３枚重ねて覆い、太陽光が照射される露地で、最高温度４０．２℃、最低温度７．２℃、平均温度１９．２℃の９月の２９日間栽培し、それぞれの栽培状況を観察した。
実施例４の栽培試験は、実施例３の場合と違って、夏から秋の変わり目の９月に行なったため、寒暖の差が激しく、また平均気温が第１回試験栽培の時期に比して５．６℃低い環境であった。
【００９１】
その結果、１０株あたりの収穫量が、廿日大根については、比較用のプランターでは１５０ｇ、織編布タイプの農作物栽培用シートＡを３枚重ねて覆って栽培した場合には、１８０ｇ、一方、クーニャンについては、比較用のプランターでは１７０ｇ、織編布タイプの農作物栽培用ネットＡを３枚重ねて覆って栽培した場合には、２３０ｇであった。
害虫被害状況は、廿日大根の場合には、本発明の農作物栽培用ネットＡを用いた場合の方が多少被害が少ない程度であったが、クーニャンについては、本発明の農作物栽培用ネットＡを用いた場合は害虫被害がほとんど見られなかったのに対して、何も用いない場合には４０％程度が被害を受けていた。
なお、本実施例において太陽光を照射光にして使用した織編布タイプのネットＡを３枚重ねた場合のＲ／Ｂ値は１．１９であった。
【図１】
0005505737.tif 000005
【図２】
0005505737.tif 000006
【図３】
0005505737.tif 000007